(57)【特許請求の範囲】
【請求項１】
ピックアップ（１４）、このピックアップを駆動する第一モータ（７４）、ターンテーブル（１３）及びこのターンテーブルを駆動する第二モータ（１０２）を搭載したフローティングシャーシ（６０）を固定シャーシ（１５）内にフローティング状態に支持し、クランパ（１２２）を支持したクランパ支持体（１２４）を前記フローティングシャーシに回動自在に取付け、前記第一モータによりクランパ支持体を回動して前記クランパをターンテーブルから離反させるとき前記フローティングシャーシを前記固定シャーシに対して固定する固定手段を備えたディスク再生装置において、
前記クランパ支持体の左右端（１２９，１３０）をフローティングシャーシの左右側板（６６，６７）に夫々回動自在に取付けるものとし、該クランパ支持体を前記左右端の一方から下方へ延長させて該延長部に係合部（１３７，２０４，２０５）を設け、前記固定シャーシには被係合部（５６，２０６，２０７）を設け、
前記係合部を山形突部（２０４，２０４）とし、
前記被係合部を、前記フローティングシャーシの下方において、前記固定シャーシの側板の一部をほぼ水平方向の折曲線により折り曲げて上部折曲片（２０５）及び下部折曲片（２０６）を形成して両折曲片により構成し、
前記下部折曲片は、前記折曲線を介して前記固定シャーシの側板と連なる部位から該側板とほぼ平行に延出して弾性をもたせ、
前記クランパがターンテーブルから離反するとき、
前記山形突部を前記下部折曲片の上面の延出端側より当接させることにより該山形突部を上部折曲片の下面に弾性的に押し付け、該係合部を被係合部に係合させるものとし、これら係合部及び被係合部で前記固定手段の一部を構成することを特徴とするディスク再生装置。
【請求項２】
前記フローティングシャーシの左右側板のうち、前記係合部が位置する側とは反対側の側板にスライド板（８４）を取付けて、該スライド板を前記第一モータにより手前側及び奥側へ往復動させ、該スライド板に連動して前記クランパ支持体を回動させるものとし、該スライド板には、前方及び後方係合部（９０，９１）を設け、前記固定シャーシには、前記クランパがターンテーブルから離反するとき前方及び後方係合部を夫々係合させる前方及び後方被係合部（５７，５７）を、前記被係合部より手前側及び奥側に夫々設け、これら前方係合部及び前方被係合部と、後方係合部及び後方被係合部とが、前記係合部及び被係合部と共に、前記固定手段の一部を構成することを特徴とする請求項１に記載のディスク再生装置。
【請求項３】
前記クランパ支持体には、該クランパ支持体の回動軸線から離間した左右二箇所に第一及び第二上方係合部（１３１，１３２，２０１，２０１）を夫々設け、前記固定シャーシには、前記クランパがターンテーブルから離反するとき第一及び第二上方係合部を夫々係合させる第一及び第二上方被係合部（３０，３０，２０２，２０２）を設け、これら第一上方係合部及び第一上方被係合部と、第二上方係合部及び第二上方被係合部とが、前記係合部及び被係合部と共に前記固定手段の一部を構成することを特徴とする請求項１に記載のディスク再生機。
【請求項４】
前記第一及び第二上方被係合部を突部、前記第一及び第二上方係合部を、夫々各突部を嵌合させる孔としたことを特徴とする請求項３に記載のディスク再生機。
【請求項５】
前記フローティングシャーシの左右側板のうち、前記係合部が設けられている側とは反対側の側板にスライド板を取付けて、該スライド板を前記第一モータにより手前側及び奥側へ往復動させ、該スライド板に連動して前記クランパ支持体を回動させるものとし、該スライド板には、前記係合部より手前側及び奥側に、夫々前方及び後方係合部を設け、前記固定シャーシには前記クランパがターンテーブルから離反するとき前方及び後方係合部を夫々係合させる前方及び後方被係合部を設け、前記前方係合部及び前方被係合部と、前記後方係合部及び後方被係合部と、前記係合部及び被係合部と、前記第一上方係合部及び第一上方被係合部と、前記第二上方係合部及び第二上方被係合部とで、前記固定手段を構成することを特徴とする請求項３に記載のディスク再生装置。
【発明の詳細な説明】
【技術分野】
【０００１】
本発明は、簡単な構成によりフローティングシャーシを固定シャーシに対して安定した状態で固定できるようにしたディスク再生装置に関する。
【背景技術】
【０００２】
主として車載用のディスク再生装置では、ピックアップ、ターンテーブル、クランパ等が外部振動の影響を受けないようにするために、これらを固定シャーシ内のフローティングシャーシに搭載している。そしてディスク挿出時にはフローティングシャーシを固定シャーシに対し固定して、ディスクの挿出が行ない易いようにしている。
【０００３】
特開２００２−２９８４８２号公報には次のようなディスクローディング装置が示されている。
すなわち、シャーシ(固定シャーシ)（１１）内には、ピックアップ等を取付けたピックベース（フローティングシャーシ）（１８）がフローティング状態に支持されている。該ピックベース（１８）にはクランパ（４２）を支持するチャックアーム（クランパ支持体）（４１）とローディングローラ（５２）とを支持するアッパーレバー（５５）が取付けられている。
【０００４】
そして、ディスク挿出時には、チャックアーム（４１）に設けた当接部（４５）をシャーシ（１１）の天板（１２）に下方より当接させると共に、アッパーレバー（５５）に設けたガイドピン（６０）をシャーシ（１１）のフロントプレート（１５）に設けられた係合部（６４）のロック溝（６６）に係合させて、ピックベース（１８）をシャーシ（１１）に対して固定するようにしている。
【０００５】
また、特開２００４−１２７３３４号公報には次のようなディスク装置が示されている。
すなわち、上部ベース（８）と下部ベース７とで固定シャーシが構成され、上部ベース（８）の奥側には、複数の支持片（９ａ，９ｂ，９ｃ，９ｄ，９ｅ，９ｆ，９ｇ）が形成され、上部ベース（８）と下部ベース（７）との間に機構ユニット（フローティングシャーシ）（２）がフローティング状態に支持されている。
クランプシャーシ（クランパ支持体）（６）の左右には、アーム部（３０，３１）が一体形成されている。アーム部（３０，３１）の左右には姿勢設定部材（１４，１５）が連結されている。
【０００６】
そして、ディスク挿出時には、クランプシャーシ（６）の後端部（６ｃ）が、上部ベース（８）の内面に当接すると共に、前記支持片（９ｃ）と支持片（９ｄ）との間並びに前記支持片（９ｆ，９ｅ）と支持片（９ｇ）との間に挟まれる。
また、姿勢設定部材（１４）の上部当接片（１４ａ）が上部ベース（８）に、下部当接片（１４ｂ）が下部ベース（７）の底板（７ａ）に夫々当接して押圧する。これによって、機構ユニット（２）が固定シャーシに対して固定される。
【特許文献１】特開２００２−２９８４８２号公報
【特許文献２】特開２００４−１２７３３４号公報
【発明の開示】
【発明が解決しようとする課題】
【０００７】
特許文献１に開示されたディスクローディング装置では、クランパ（４２）を支持するチャックアーム（４１）に、シャーシ（１１）の天板（１２）に当接する当接部（４５，４５）を設け、これらの当接部（４５，４５）をピックベース（１８）の固定手段の一部としている。
一般にフローティングシャーシを固定シャーシに対して固定する場合、クランパが設けられている中心付近で固定するよりも周囲の部分で固定する方が安定して固定できる。
しかしながら、特許文献１の構成では、ピックベース（１８）を周囲の部分で固定することができず、ピックベース（１８）をクランパが設けられている中心付近のみで固定することになるので、安定した固定ができないという問題があった。
【０００８】
特許文献２に開示されたディスク装置では、機構ユニット（２）を固定シャーシに対して固定するための専用部品として、比較的大きな左右の姿勢設定部材（１４，１５）を用いているので大形部品が増加して構成が複雑になる問題があった。
【０００９】
本発明は、このような問題に鑑みてなされたもので、簡単な構成によりフローティングシャーシを固定シャーシに対して安定した状態で固定できるディスク再生装置を提供することを目的とする。
【課題を解決するための手段】
【００１０】
フローティングシャーシに回動自在に取付けたクランパ支持体をターンテーブルから離反させるときフローティングシャーシを固定シャーシに対して固定するディスク再生機において、前記クランパ支持体の左右端をフローティングシャーシの左右側板に夫々回動自在に取付ける。該クランパ支持体をその前記左右端の一方から下方へ延長させて該延長部に係合部を設ける。前記固定シャーシには被係合部を設けて、これら係合部及び被係合部でフローティングシャーシを固定シャーシに対して固定する固定手段の一部を構成する。
【００１１】
前記係合部及び被係合部の一方を山形突部、他方を孔とするとよい。
【００１２】
前記山形突部が前記孔から最大量離反した位置において山形突部が孔の上縁及び下縁からほぼ同量ずつ離反させるとよい。
【００１３】
前記フローティングシャーシの左右側板のうち、前記係合部が位置する側とは反対側の側板にスライド板を取付けて、該スライド板を前記第一モータにより手前側及び奥側へ往復動させ、該スライド板に連動して前記クランパ支持体を回動させるものとし、該スライド板には、前方及び後方係合部を設け、前記固定シャーシには、前記クランパがターンテーブルから離反するとき前方及び後方係合部を夫々係合させる前方及び後方被係合部を前記被係合部より手前側及び奥側に、夫々設け、これら前方係合部及び前方被係合部と、後方係合部及び後方被係合部とが、前記係合部及び被係合部と共に、前記固定手段の一部を構成するようにするとよい。
【００１４】
前記クランパ支持体にはその回動軸線から離間した左右二箇所に第一及び第二上方係合部を夫々設ける。前記固定シャーシには、前記クランパがターンテーブルから離反するとき第一及び第二上方係合部を夫々係合させる第一及び第二上方被係合部を設け、これら第一上方係合部及び第一上方被係合部と、第二上方係合部及び第二上方被係合部とが、前記係合部及び被係合部と共に前記固定手段の一部を構成するようにするとよい。
【００１５】
前記第一及び第二上方係合部を孔、前記第一及び第二上方被係合部を突部とするとよい。
【００１６】
前記フローティングシャーシの左右側板のうち、前記係合部が設けられている側とは反対側の側板にスライド板を取付ける。該スライド板を手前側及び奥側へ往復動させ、該スライド板に連動して前記クランパ支持体を回動させる。該スライド板には、前記係合部より手前側及び奥側に夫々前方及び後方係合部を設ける。そして、前記前方係合部及び前方被係合部と、前記後方係合部及び後方被係合部と、前記係合部及び被係合部と、前記第一上方係合部及び第一上方被係合部と、前記第二上方係合部及び第二上方被係合部とで、前記固定手段を構成するようにするとよい。
【００１７】
前記フローティングシャーシの下方において、前記固定シャーシの側板の一部をほぼ水平方向の折曲線により折り曲げて上部折曲片及び下部折曲片を形成して両折曲片により前記被係合部を構成し、前記係合部を山形突部とし、この山形突部を上部折曲片の下面及び下部折曲片の上面に当接させるとよい。
【００１８】
前記下部折曲片に弾性をもたせ、下部折曲片と山形突部の当接により該山形突部を上部折曲片の下面に弾性的に押し付けるとよい。
【００１９】
前記下部折曲片は、折曲線を介して前記固定シャーシの側板と連なる部位から該側板とほぼ平行に延出するものとし、その延出端側より前記山形突部を係合させるとよい。
【発明の効果】
【００２０】
本発明のディスク再生装置によれば、前記クランパ支持体の左右端をフローティングシャーシの左右側板に夫々回動自在に取付けるものとし、該クランパ支持体を前記左右端の一方から下方へ延長させて該延長部に係合部を設け、前記固定シャーシには被係合部を設けて、前記クランパがターンテーブルから離反するとき該係合部を被係合部に係合させるようにし、これら係合部及び被係合部を固定手段の一部としたことにより、固定手段を簡単な構成とすることができる。また、前記係合部及び被係合部は、フローティングシャーシを、周囲の部分で固定シャーシに対して固定することができ、しかも、これら係合部及び被係合部は、ほぼディスク挿出方向における中央部に位置するため、前記フローティングシャーシを固定シャーシに対して安定的に固定することができる。
【００２１】
また、前記係合部及び被係合部の一方を山形突部、他方を孔とすることにより、係合部及び被係合部を簡単な構成とすることができる。
【００２２】
また、前記山形突部が前記孔から脱して最大量離反した位置において、山形突部が、孔の上縁からも下縁からもほぼ同量ずつ離反するようにすると、山形突部を固定シャーシから最も効率よく離反させることができる。よって容易に振動しろを増やすことができる。
【００２３】
また、前記フローティングシャーシの左右側板の一方に設けられた被係合部と他方に設けられた前方及び後方被係合部とを直線で結んだ三角形が、他方の側において前後とも鋭角の三角形となり、フローティングシャーシを安定した状態で固定することができる。
【００２４】
さらに、クランパ支持体に設けた第一及び第二上方係合部と、固定シャーシに設けた第一及び第二上方被係合部とで固定手段の一部を構成することにより、フローティングシャーシを固定シャーシに対してより確実に固定することができる。
【００２５】
また、クランパ支持体側の第一及び第二上方係合部を突部、固定シャーシ側の第一及び第二上方被係合部を孔とすると、係合部が被係合部に嵌合した際に突部が固定シャーシの上面側に突出することになるが、突部と孔とを逆にしたことにより固定シャーシの上面側に突部が突出せず、ディスク再生装置が大型化することはない。
【００２６】
クランパ支持体側の係合部、第一、第二上方係合部及びスライド板側の前方、後方係合部と、これらに夫々対応する被係合部とで固定手段を構成するようにしたことにより、前記フローティングシャーシを固定シャーシに対してより安定した状態で確実に固定することができる。
【００２７】
前記フローティングシャーシの下方において、前記固定シャーシの側板の一部をほぼ水平方向の折曲線により折り曲げて上部折曲片及び下部折曲片を形成して両折曲片により前記被係合部を構成し、前記係合部を山形突部とし、この山形突部を上部折曲片の下面及び下部折曲片の上面に当接させる構成にすると、上部折曲片及び下部折曲片とも固定シャーシの側板の一部を折り曲げて形成するので、部品点数は増すことはない。
また、固定シャーシの側板の一部を縦方向の折曲線により切曲げ、その切曲げ部に孔を設けて、孔の上下縁に係合部を当接させるようにした場合は、強度の問題から孔の上下に少なくとも板厚の２倍程度の高さ方向寸法を確保しなければならないので、切曲げ部とその上方のフローティングシャーシとの間に十分な振動しろを確保することが困難であるが、上部折曲片を固定シャーシの側板の一部を水平方向の折曲線により折曲げて形成し、その上部折曲片の下面に山形突部を当接させるようにすることにより、上部折曲片の上面とフローティングシャーシとの間に振動時における振動しろを十分に確保することができる。
【００２８】
前記下部折曲片に弾性をもたせ、下部折曲片と山形突部の当接により該山形突部を上部折曲片の下面に弾性的に押し付けるようにすると、フローティングシャーシを固定シャーシに対してより安定した状態で固定することができる。また、このように弾性的に山形突部を上部折曲片に押し付けると、振動によるラットルノイズを抑制することができる。
【００２９】
前記下部折曲片を、折曲線を介して前記固定シャーシの側板と連なる部位から該側板とほぼ平行に延出するものとすると、下部折曲片に弾性を持たせることができ、かつその延長端側の形状を、山形突部を誘い込み易い形状にすることができる。
【発明を実施するための最良の形態】
【００３０】
以下、本発明を実施するための最良の形態を、図面を参照して説明する。
図１は車載用のディスク再生装置の機構部１の外観を示す斜視図である。前記ディスク再生装置の機構部１の正面には、ディスクＤを挿出するディスク挿入口２が設けられている。矢印Ａはディスク挿入方向を示し、その逆方向はディスク排出方向となる。そして、これらディスク挿入方向とディスク排出方向とを合わせて、ディスク挿出方向とする。
【００３１】
図２は、前記ディスク再生装置の機構部１を上ユニット３と下ユニット４とに分けて示し、さらに下ユニット４の一部であるピックアップユニット５とクランプ機構６とを分けて示す分解斜視図である。
図３は前記上ユニット３を示す平面図であり、図４は前記下ユニット４からピックアップユニット５とクランプ機構６とを除いた部位を示す平面図である。また、図５はピックアップユニット５を示す平面図である。
【００３２】
前記上ユニット３は、図２及び図３に示すように、上フレーム７及びディスク検知機構８で構成されている。前記下ユニット４は、図２、図４及び図５に示すように、下フレーム１０と、この下フレーム１０に取り付けられる３個の緩衝部材よりなるダンパ１１と、搬送ローラ機構１２と、ターンテーブル１３やピックアップ１４を含むピックアップユニット５と、クランプ機構６等で構成されている。
前記上フレーム７と下フレーム１０とで固定シャーシ１５を構成する。
【００３３】
図２及び図３の如く、略矩形状の金属板からなる前記上フレーム７は、天板１８の四辺より下方に折曲形成された側板を有し、その左右側板１９，２０のディスク挿出方向における前部及び後部にそれぞれ重ね合せ部２１，２２を設けている。
【００３４】
また図２及び図４の如く、略矩形状の金属板からなる前記下フレーム１０は、底板２３の四辺より上方に立上がる側板を有し、その左右側板２４，２５のディスク挿出方向における前部及び後部に、夫々重ね合せ部２６，２７を設けている。そして、上フレーム７と下フレーム１０との合体は、互いの対応する重ね合せ部同志を重ね合わせ、夫々の後部重ね合わせ部２２，２７をねじ２８（図２において右方のみ記載）にて固定する（図１参照）ことにより行なっている。
【００３５】
図２及び図３の如く、前記天板１８には、ほぼ中央に大きく開口した開口部２９を設けるとともに、この開口部２９に対しディスク挿出方向に直交する方向に位置して、第一及び第二上方被係合部である一対の延出片３０を下方へ延出させている。そして、前記天板１８の前部には、上面側から下方に向けて押出し加工した左右方向に長い凹みを形成してその部位を装着部３１としている。さらに、天板１８と装着部３１との間の段差部３２には、適宜切欠部３３を設けている。また、装着部３１には、ガイド部３４を形成している。
【００３６】
前記ディスク検知機構８は、左右一対の水平回動自在なディスク検知部材３５，３６と、両検出部材３５，３６間に掛渡されたコイルばね３７（図３に仮想線で示す）と、係止レバー３８と、図示しないスイッチとで構成されている。ディスク検知機構８は、装着部３１の上面に取付けられている。
【００３７】
前記ディスク検知部材３５，３６は、ディスクが挿入されたことを検知するもので、装着部３１の上面に突設された一対の支軸３９にそれぞれ回動自在に装着され、前記ディスク挿入口２の近傍まで延長された各延長端には下方に延びた検知部４０，４１（図２参照）を有している。
【００３８】
ディスク検知部材３５には、図中右方へ延出した連結片４２が形成されており、その先端には連結ピン４３が上方へ向けて形成されている。一方、ディスク検知部材３６には、図中左方へ延出した連結片４４が形成されており、その先端付近には連結溝４５が形成されている。そして、前記連結ピン４３をこの連結溝４５に係合させて、両ディスク検知部材３５，３６が左右対称に同期回動するようにしている。
【００３９】
両ディスク検知部材３５，３６は、前記切欠部３３の範囲内で回動自在となっており、前記コイルばね３７の付勢力により装着部３１の上面に形成された一対のストッパ部４６の夫々に一部を当接させて、初期位置を維持している。また、前記検知部４０，４１の近傍には弾性片４７，４８が設けられ、これらの弾性片４７，４８を装着部３１の上面に弾性的に常時圧接させて、検知部材３５，３６の振動によるラットルノイズの発生を防止するようにしている。
【００４０】
前記係止レバー３８は装着部３１の上面に突設された支軸４９に回動自在に装着され、ディスクが再生位置に挿入されたとき該ディスク検知部材３５，３６を回動位置に係止する。この係止レバー３８には、一端に一方のディスク検知部材３６に嵌合するピン５０、他端にディスク搬送経路内に位置して搬送途中のディスクの外周に摺接する図示しない摺接ピンが、それぞれ形成されている。そして係止レバー３８は、時計方向に極めて弱いばねで回動付勢されている。
【００４１】
図２及び図４の如く、前記下フレーム１０の底板２３には、大きく開口した大開口部５２を設け、その大開口部５２周辺の底板２３上面３箇所には、前記ダンパ１１を固着する固定部５３を設けている。また、左側板２４後部付近において、底板２３を上方へ向けて押出し加工にて山形形状とした押出し部５４を設け、その前方位置に、左側板２４の一部を装置内側へ向けて切曲げした切曲げ部５５を設けている。この切曲げ部５５には、略Ｄ字状の被係合部である孔５６が設けられている（図１１参照）。さらに、図中右方には右側板２５より内側に向けて形成された前方及び後方被係合部である一対の折曲部５７が設けられている。そして、前方及び後方折曲部５７，５７を前記孔５６より手前側及び奥側に夫々設けている。
【００４２】
前記底板２３の固定部５３には、前記３箇のダンパ１１の各台座５８を固着し、各ダンパ１１の有底筒部５９を前記ピックアップユニット５の一部に取付けて、ピックアップユニット５がこれらのダンパ１１を介して、下フレーム１０に対してフローティング状態に支持されるようにしている。また、下フレーム１０の左右側板２４，２５のディスク挿入口２近傍には、前記搬送ローラ機構１２が配置されている。
【００４３】
前記ピックアップユニット５は、図２及び図５に示すように、一部を仮想線で示すフローティングシャーシ６０に、ピックアップ駆動機構６１、ローディング機構６２、ディスク回転機構６３を取り付けて構成されている。
【００４４】
フローティングシャーシ６０は金属板製で、ほぼ四角形をなす平板部６５と、上方へ折り曲げた左右側板６６，６７と、下方へ折り曲げた前板６８と、上方へ折り曲げた後板６９とを有している。前記平板部６５には、図５中ほぼ中央から左上方に向けて長い矩形孔７０を有し、この矩形孔７０の内側にピックアップ１４が矩形孔７０の長手方向に移動自在に配置されている。また、該矩形孔７０の長手方向と平行にレール部７１が設けられ、前記ピックアップ１４の一部で、このレール部７１を挟む構成となっている。この平板部６５において、前記右側板６７の近傍には溝７２（仮想線で示す）が設けられている。さらに、この平面部６５には、ディスクの挿入を規制する左右一対のストッパ片７３を設けている。そして、前記矩形孔７０の図中右方には第一モータ７４が配置されている。
【００４５】
前記ピックアップ駆動機構６１は、前記ピックアップ１４に挿通し前記レール部７１と平行に配置される金属製の主ガイドレール７５、一端に小ギヤ７６を設けた合成樹脂製の送りねじ７７、前記主ガイドレール７５及び送りねじ７７の両端を夫々支持する第一支持部材７８，第二支持部材７９、一端をピックアップ１４に固定し他端を前記送りねじ７７に当接させる薄板製のピックアップ送り板８０で構成されている。前記主ガイドレール７５、小ギヤ７６、送りねじ７７、第一、第二支持部材７８，７９は、前記フローティングシャーシ６０の平板部６５の下面側に配置される。
【００４６】
前記ローディング機構６２は、ピックアップ１４をロックするロック部材８２と、前記第一モータ７４の駆動力を伝達する駆動力伝達手段８３と、第一モータ７４の駆動力を受け、図中前後に移動するスライド板８４及びディスクが前記ターンテーブル１３にチャッキングする直前を検知するトリガ部材８５とで構成されている。また、図示しないが、前記ロック部材８２にはこの部材を時計方向に付勢するばねが、前記トリガ部材８５には反転ばねがそれぞれ取付けられている。
そして、前記ロック部材８２、駆動力伝達手段８３、トリガ部材８５は、平板部６５の下面側に配置され、前記スライド板８４は、右側板６７に配置される。
【００４７】
前記ロック部材８２は、略中央に回動支点８６を設け、一方に摺接ピン８７、他方にロック部８８を設けている。なお、ロック部材８２は、図示しないばねによって、時計方向に回動付勢されている。
【００４８】
図６はスライド板８４とその周辺部品との関係を示す側面図であり、スライド板８４の図中中央上部にはカム溝８９を設けている。このカム溝８９の下方には、前方及び後方被係合部である上下方向の幅が狭いスリット部９０，９１と、上下方向幅広の逃げ部９２，９３とからなる一対の貫通孔９４，９５を設けている。また、スライド板８４の図６における左端には、ローラ位置切換部であるカム面９６を設けている。さらに、図５に示す如く、スライド板８４には、図中左方に突出した被押圧部９７が設けられている。
【００４９】
前記トリガ部材８５は、一端側に上方へ延出する被当接部９８、他端側にラック９９、中間部に回動軸１００を、夫々設けている。さらに、他端部には上方に突出するボス１０１も設けている。このボス１０１は、前記フローティングシャーシ６０の溝７２に挿通させている。
【００５０】
前記ディスク回転機構６３は、前記矩形孔７０の図中最前部に取付けられた第二モータ１０２と、この第二モータ１０２の軸に直結された前記ターンテーブル１３とで構成されている。
【００５１】
前記駆動力伝達手段８３は、図５及び図７の如く、ギヤ群を主体とし、前記第一モータ７４の駆動力を、搬送ローラ機構１２等又はピックアップ駆動機構６１に適宜伝達する切換手段１０３と、第三支持部材１０４と、第四支持部材１０５とで構成されている。
【００５２】
ギヤ群は、前記第一モータ７４のシャフトに装着されたウォームギヤ１０６と、二段ギヤよりなる第一ギヤ１０７、第二ギヤ１０８及び第三ギヤ１０９と、三段ギヤよりなる第四ギヤ１１０と、ディスク挿出方向に長く両端部に第一ウォーム１１１，第二ウォーム１１２を一体形成した第五ギヤ１１３と、前記第四支持部材１０５に取付けられる、二段ギヤよりなる第六ギヤ１１４と、連結ギヤである第七ギヤ１１５とで構成されている。この第七ギヤ１１５は、前記スライド板８４のカム面９６に近い位置に配置されている。
【００５３】
前記切換手段１０３は、仮想線で示す金属板製の切換板１１６と、この切換板１１６に取付けた前記第二ギヤ１０８とで構成される。前記切換板１１６は、図中下端部が右方に曲がった形状をなし、その先端を押圧部１１７とし、図中上端に円弧部１２０と傾斜部１１９とからなるカム部１２０を有し、中間部を前記第一ギヤ１０７と共通の軸１２１に回動自在に軸支されている。前記第二ギヤ１０８は前記カム部１２０と軸１２１とのほぼ中間位置に回転自在に軸支されている。そして、切換板１１６の回動により第二ギヤ１０８を、第三ギヤ１０９又は第四ギヤ１１０に適宜噛合させて、前記第一モータ７４の駆動力をピックアップ駆動機構６１又は搬送ローラ機構１２に伝達するようにしている。
【００５４】
第一ギヤ１０７は、前記フローティングシャーシ６０の裏面側に軸支され、一段目の大ギヤをヘリカルギヤとして、このヘリカルギヤをウォームギヤ１０６に噛合させている。第一ギヤ１０７の二段目の小ギヤは第二ギヤ１０８の大ギヤに常時噛合させている。第四ギヤ１１０は、前記フローティングシャーシ６０の裏面側に軸支され、中ギヤを第五ギヤ１１３の第一ウォーム１１１に噛合させている。
【００５５】
第五ギヤ１１３は、第一ウォーム１１１側を前記第三支持部材１０４に支持され、第二ウォーム１１２側を第四支持部材１０５に回転自在に支持されている。この第三支持部材１０４及び第四支持部材１０５は前記フローティングシャーシ６０の裏面側に取付けられている。第五ギヤ１１３の第二ウォーム１１２は第四支持部材１０５に回転自在に取付けられた第六ギヤ１１４の小ギヤと噛合している。この小ギヤはヘリカルギヤである。第六ギヤ１１４の大ギヤは同じく第四支持部材１０５に回転自在に取付けられた第七ギヤ１１５に噛合させている。また、第三ギヤ１０９の大ギヤはピックアップ駆動機構の一部である前記小ギヤ７６に常時噛合させている。
【００５６】
図７に示すように、第二ギヤ１０８の小ギヤが第四ギヤ１１０の大ギヤに噛合していると、第一モータ７４の駆動力が前記搬送ローラ機構１２に伝達され、切換板１１６が反時計方向に回動して、第二ギヤ１０８の大ギヤが第三ギヤ１０９の小ギヤと噛合すると、第一モータ７４の駆動力がピックアップ駆動機構６１に伝達される。
【００５７】
前記クランプ機構６は、図８及び図９に示すように、クランパ１２２と、このクランパ１２２を回転支持する薄板製の支持板１２３と、この支持板１２３を取着し、前記クランパ１２２を前記ターンテーブル１３に対して離接させるクランパ支持体１２４とで構成される。
【００５８】
図９の如く、クランパ１２２は、図中上方に軸部１２５と、図中下方にディスクの中心孔に嵌合する略円錐台形突部１２６とを有し、この略円錐台形突部１２６の先端外周縁にディスクの心出し用テーパ１２７を有している。
【００５９】
クランパ１２２は、前記軸部１２５を前記支持板１２３の一端側にて回転自在に支持され、支持板１２３は、他端側をクランパ支持体１２４に固着され、ターンテーブル１３とクランパ１２２とでディスクを挟持するときは、支持板１２３の一部でクランパ１２２の軸端を弾性的に押圧してターンテーブル１３とクランパ１２２との間にディスク挟持圧を付与するようにしている。
【００６０】
クランパ支持体１２４は、図８に示すように、左右方向に細長い板金製で、平板１２８の左右端に下方へ折り曲げられた側板１２９，１３０を有している。そして平板１２８には、略菱形状の第一及び第二上方係合部である一対の菱孔１３１，１３２を設け、各菱孔１３１，１３２には、図中左右角部にそれぞれストレート溝１３３，１３４を形成している。クランパ支持体１２４の図中奥側縁部１３５は、中央から左方及び右方にかけて僅かに奥側へ傾斜するように形成されている。また、右側板１３０の図中前端部には係合ピン１３６が取着されており、この係合ピン１３６は、前記スライド板８４のカム溝８９（図６参照）に嵌合する。
【００６１】
前記左側板１２９は、図９に示すように一部を下方へ延長し、該延長部の下端部が二股形状に形成されており、図中右側を係合部である第一片１３７、左側を第二片１３８としている。また、左右側板１２９，１３０（左側版１２９のみ図示）には、それぞれ軸孔１３９が設けられており、各軸孔１３９は前記フローティングシャーシ６０の左右側板６６，６７（図５参照）にそれぞれ設けられた突部（図示せず）に係合し、クランパ支持体１２４は、それらの突部を中心に回動自在となっている。
【００６２】
また、前記クランパ支持体１２４の前記フローティングシャーシ６０に対する回動中心軸（両軸孔１３９の中心間を結ぶ線）は、前記ターンテーブル１３の中心軸線より距離Kだけ奥側にあり、距離ＫはディスクＤの中心孔径（１５ｍｍ）より大きく、かつ、その２倍（３０ｍｍ）以内、例えば２５ｍｍ程度に設定される。さらに、前記クランパ支持体１２４の奥側縁部１３５は、中央から左方及び右方にかけて奥側へ僅かに傾斜させている。
【００６３】
搬送ローラ機構１２は、図４及び図１０の如く、搬送ローラ１４１と、ローラブラケット１４２とで構成されている。
【００６４】
搬送ローラ１４１は、外方端から内方端にかけて漸次小径となる一対の合成ゴム製テーパ筒体１４３に金属製の軸１４４を挿通させて構成されている。軸１４４の両端はテーパ筒体１４３の外方端から突出し、その突出する軸１４４の一端側には前記駆動力伝達手段８３（図５参照）の一部であるローラギヤ１４５を、また他端側にはカラー１４６を、夫々を取付けている。
【００６５】
ローラブラケット１４２は金属板よりなるもので、左右に長い連結板１４７の左右端に、上方へ向けて折曲形成された左右側板１４８を有し、これらの左右側板１４８を連結板１４７より奥側へ延出させている。左右側板１４８は、各内面側の略中間部に絞り加工による凸状筒部１４９をそれぞれ有し、各凸状筒部１４９を下フレーム１０（図２参照）の左右側板２４，２５に形成された溝１５０（一方のみ仮想線で示す）に嵌合させ、凸状筒部１４９，１４９を支点として、上下回動自在に装着される。また、左右側板１４８間の延出部で搬送ローラ１４１の軸１４４両端を回転自在に支持するようにしている。
【００６６】
前記連結板１４７の後縁は裏面側に向けて折曲された山折縁部１５１となっている。この山折縁部１５１は、平面図上ではほぼ左右対称となるＶ形凹状ともなっているが、その傾斜角度は、ローラの軸心線に対して約１°程度の僅かなものである。また、連結板１４７の前縁には上方に向けて屈曲した左右一対の屈曲部１５２が設けられている。これらの屈曲部１５２は、搬送ローラ１４１が下方位置にあるとき、すなわち、ディスクが再生位置に挿入されているときは上方位置にあってディスク挿入口２（図１参照）を塞いで、ディスクの二重挿入を防止する。さらに図１０に示すように、前記ローラブラケット１４２の右側板１４８の最奥部には、外方へ向けて略直角に曲げられた折曲片１５３が設けられている。なお、ローラブラケット１４２は図示しないばねにより、搬送ローラ１４１を上昇させる方向に常時付勢されている。
【００６７】
次にディスク再生装置の動作について説明する。
図１２は、ディスク再生している状態におけるスライド板８４とクランパ１２２との関係を示す図であり、ターンテーブル１３とクランパ１２２とでディスクＤを挟持している。この状態では前記下フレーム１０に設けられた一対の折曲部５７は前記スライド板８４の貫通孔９４，９５の逃げ部９２，９３内に位置し、フローティングシャーシ６０は固定シャーシ１５に対してフローティング状態となっている。前記クランパ支持体１２４の第一片１３７は、下フレーム１０の孔５６から最大量離反した位置にあって、その頂点を孔５６の中心にほぼ対向させて、孔５６の上縁からも下縁からもほぼ同量ずつ離間している。（図９実線位置）
【００６８】
この状態から再生動作を停止してディスク排出操作を行なうと、前記フローティングシャーシ６０に設けられたローディング機構６２（図５参照）が起動し、図１３の如く、スライド板８４が第一モータ７４（図５参照）に駆動されてディスク挿出方向（図中左方）へ移動する。これによって、一対の折曲部５７はスライド板８４に対して相対的に図中右方へ移動して、それぞれ対応するスリット部９０，９１内に進入し、固定シャーシ１５に対するフローティングシャーシ６０の上下方向（再生機厚み方向）の動きを規制する。
【００６９】
一方、図６の如く、クランパ支持体１２４は、その係合ピン１３６をスライド板８４のカム溝８９に挿入させているので、スライド板８４が図中左方へ移動すると係合ピン１３６が仮想線の位置から破線の位置に移動し、図１３の如く、クランパ支持体１２４は軸孔１３９，１３９の中心間を結んだ軸心線を中心として上方へ回動し、クランパ１２２はディスクDから離反する。この時、図９の如く、前記左側板１２９に設けられた第二片１３８が押出し部５４に摺接して、前記下フレーム１０の孔５６に対する第一片１３７の位置を定め、第一片１３７を孔５６に向けて誘導する。
【００７０】
また、クランパ支持体１２４が上方へ回動するとき、図１４の如く、前記クランパ支持体１２４の菱孔１３１，１３２が上フレーム７（図２参照）に設けられた一対の延出片３０，３０と嵌合し、同時に、図９に仮想線で示す如く、前記第一片１３７が孔５６に嵌合する。
【００７１】
すなわち、ディスクを排出するときは、前記スライド板８４のスリット部９０，９１と折曲部５７との係合により、フローティングシャーシ６０の上下方向の動きを規制し、さらに、菱孔１３１，１３２と延長片３０，３０との嵌合により、フローティングシャーシ６０のディスク挿出方向及び左右方向の動きを規制し、第一片１３７と孔５６との嵌合によってもフローティングシャーシ６０の上下方向の動きを規制しフローティングシャーシ６０を固定シャーシ１５に対して固定する。
【００７２】
このように、前記クランパ支持体１２４の左右端部をフローティングシャーシ６０の左右側板１２９，１３０に夫々回動自在に取付けるものとし、該クランパ支持体１２４をその左側板１２９から下方へ延長させて該延長部に第一片１３７を設け、前記固定シャーシ１５には略D字状の孔５６を設けて前記クランパ１２２がターンテーブル１３から離反するとき第一片１３７を孔５６に係合させるようにし、これら第一片１３７及び孔５６で固定手段の一部を構成するようにしたので、固定手段を簡単な構成とすることができる。また、前記第一片１３７及び孔５６は、フローティングシャーシ６０の左側部にあり、かつ、ディスク挿出方向においてはほぼ中央部にあるため、前記フローティングシャーシ６０を固定シャーシ１５に対して安定的に固定することができる。
【００７３】
また、前記第一片１３７を山形突部として孔５６と係合させるようにしたことによって、係合に部及び被係合部の構成を一層簡素化することができる。
【００７４】
また、前記第一片１３７が孔５６から最大量離反した位置において、第一片１３７の山形突部の頂点と前記孔５６の中心とがほぼ対向するようにして、第一片１３７を孔５６の上縁からも下縁からもほぼ同量ずつ離反するようにすれば、第一片１３７を固定シャーシ１５から最も効率よく離反させることができる。よって、容易にフローティングシャーシ６０の振動しろを増やすことができる。
【００７５】
前記フローティングシャーシ６０の左側部では第一片１３７を係合させる孔５６を設けて、フローティングシャーシ６０をディスク挿出方向におけるほぼ中央部で固定するようにし、フローティングシャーシ６０の右側部ではスライド板８４の前方及び後方係合部９０，９１を夫々係合させる前方及び後方折曲部５７を、前記孔５６より手前側及び奥側に設け、これら三箇所を直線で結んだ三角形がスライド板８４側において前後とも鋭角の三角形となるようにしたことにより、フローティングシャーシ６０を固定シャーシに対して、安定した状態で固定することができる。
【００７６】
さらに、クランパ支持体１２４にはその回動軸線から離間した左右２箇所に菱孔１３１，１３２を設け、前記固定シャーシ１５には、これらの菱孔１３１，１３２と夫々係合する延出片３０，３０設け、菱孔１３１，１３２と延出片３０，３０とでフローティングシャーシ６０のディスク挿出方向及び左右方向の動きを規制するようにしたことにより、前記フローティングシャーシ６０を固定シャーシ１５に対してより確実に固定することができる。
【００７７】
また、クランパ支持体１２４側に設けられる係合部を菱孔１３１，１３２とし、固定シャーシ１５側に設けられる被係合部を、下方に延出する延出片３０，３０としたことにより、クランパ支持体１２４が上方へ回動して菱孔１３１，１３２と延出片３０，３０とが係合したときも固定シャーシ１５の上面より上方に突出するものがなく、ディスク再生装置が大型化することを回避できる。
【００７８】
クランパ支持体１２４側の第一片１３７、菱孔１３１，１３２及びスライド板８４側のスリット部９０，９１と、これらに対応する孔５６、延出片３０，３０、前方、折曲部５７，５７とで固定手段を構成するようにしたことにより、フローティングシャーシ６０を固定シャーシ１５に対してより安定した状態で確実に固定することができる。
【００７９】
図８における第一及び第二上方係合部は略菱形状に限定するものではない。例えば、図１５の如く、第一及び第二上方係合部２０１，２０１は、第一及び第二上方被係合片である一対の延出片２０２，２０２が係合することができればよく、図中下側にそれぞれ係合部２０３，２０３を設け、前記延出片２０２，２０２を係合部２０３，２０３に係合できるように第一及び第二上方係合部を設定すればよい。
【００８０】
また、フローティングシャーシ６０の上下方向の動きを規制する方法は、図９における第一片１３７を孔５６に嵌合して行うことに限定するものではない。例えば、図１６の如く、また、図９における係合部である第一片１３７に代えて、山形突部２０４，２０４とし、図９における被係合部である孔５６を、図１７の如く、下フレーム１０の左側板２４の一部をほぼ水平方向の折曲線により折り曲げて上部折曲片２０５及び下部折曲片２０６を形成して両折曲片により前記被係合部を構成しても良い。
【００８１】
特に下部折曲片２０６は、図１７に示すように、折曲線を介して側板２４と連なる部位から該側板２４とほぼ平行に延出し、その延出端部側より山形突部２０４を係合させるものとする。該延出端はやや下方へ湾曲させ、山形突部２０４を誘い込み易い形状とする。
【００８２】
図１８の如く、下フレーム１０の左側板２４の一部をほぼ水平方向の折曲線により内側へ折り曲げて上部折曲片２０５を形成すると、山形突部２０４の上端と前記フローティングシャーシ６０の平板部６５の下面との間隔Ｌが一定であっても、山形突部２０４の上端と当接する上部折曲片２０５の上下方向の寸法が板厚分で済むので、上部折曲片２０５の上面と平板部６５の下面との間を十分に空けることができ、装置の厚みを変えることなく、平板部６５と上部折曲片２０５との間に、フローティングシャーシ６０の振動時における振動しろを十分に確保することができる。
【００８３】
さらに、図１７の如く、前記下部折曲片２０６に弾性をもたせ、下部折曲片２０６と山形突部２０４の当接により該山形突部２０４を上部折曲片２０５の下面に弾性的に押し付けると、フローティングシャーシ６０を下フレーム１０に対してより安定した状態で固定することができる。また、このように弾性的に山形突部２０４を上部折曲片２０５に押し付けると、振動によるラットルノイズを抑制することができる。
【図面の簡単な説明】
【００８４】
【図１】ディスク再生機を示す斜視図。
【図２】ディスク再生装置の分解斜視図。
【図３】上ユニットを示す平面図。
【図４】下ユニットからピックアップユニットとクランプ機構とを除いた状態を示す平面図。
【図５】ピックアップユニットを示す平面図。
【図６】スライド板と周辺部品との関係を示す側面図。
【図７】駆動力伝達手段を示す平面図。
【図８】クランプ機構を示す平面図。
【図９】クランプ動作を示す左側面図。
【図１０】搬送ローラ機構を示す斜視図。
【図１１】クランパ支持体の第一片と固定シャーシの被係合部孔との関係を示す正面図。
【図１２】ディスク再生状態におけるスライド板とクランパとの関係を示す側面図。
【図１３】ディスク排出状態におけるスライド板とクランパとの関係を示す側面図。
【図１４】クランパ支持体の菱孔と固定シャーシの延長片との関係を示す平面図。
【図１５】クランプ機構を示す平面図。
【図１６】クランプ動作を示す左側面図。
【図１７】下フレームの左側板の一部を示す斜視図。
【図１８】クランプ動作を示す正面図。
【符号の説明】
【００８５】
１０        下フレーム
１３        ターンテーブル
１４        ピックアップ
１５        固定シャーシ
３０        第一上方被係合部、第二上方被係合部
５６        被係合部
５７        前方被係合部、後方被係合部
６０        フローティングシャーシ
６６        左側板
６７        右側板
７４        第一モータ
８４        スライド板
９０        前方係合部
９１        後方係合部
１０２      第二モータ
１２２      クランパ
１２４      クランパ支持体
１２９      左側板
１３０      右側板
１３１      第一上方係合部
１３２      第二上方係合部
１３７      係合部
２０１      第一上方係合部，第二上方係合部
２０２      第一上方被係合部，第二上方被係合部
２０３      係合部
２０４      山形突部
２０５      上部折曲片
２０６      下部折曲片
【図５】
0004960323.tif 000002
【図７】
0004960323.tif 000003
【図１】
0004960323.tif 000004
【図２】
0004960323.tif 000005
【図３】
0004960323.tif 000006
【図４】
0004960323.tif 000007
【図６】
0004960323.tif 000008
【図８】
0004960323.tif 000009
【図９】
0004960323.tif 000010
【図１０】
0004960323.tif 000011
【図１１】
0004960323.tif 000012
【図１２】
0004960323.tif 000013
【図１３】
0004960323.tif 000014
【図１４】
0004960323.tif 000015
【図１５】
0004960323.tif 000016
【図１６】
0004960323.tif 000017
【図１７】
0004960323.tif 000018
【図１８】
0004960323.tif 000019